(57)【要約】人に装着することができ、かつハンズフリー操作を可能にするカメラ装置（１０）であって、カメラ用のハウジングと、このハウジングを人に取り付ける手段（４５）とを含み、映像信号を送信する手段と、音声信号を送受信する手段とをさらに含んでいるカメラ装置。
2007523545.tif 000002
【特許請求の範囲】
【請求項１】
人に装着することができ、かつハンズフリー操作を可能にするカメラ装置であって、カメラ用のハウジングと、このハウジングを人に取り付ける手段とを含み、映像信号を送信する手段と、音声信号を送受信する手段とをさらに含んでいるカメラ装置。
【請求項２】
前記カメラは小型のカラーカメラであり、前記カメラ装置は指向性のマイクロフォンを含んでいる、請求項１に記載のカメラ装置。
【請求項３】
前記カメラはユーザの視線と概ね同じ高さになるようにユーザの耳にかかるようになっている支持アームの形をした前記ハウジング用のマウントを含んでいる、請求項１または２に記載のカメラ装置。
【請求項４】
前記支持アームは音声の送信を行うことができるイヤピースに結合されている、請求項３に記載のカメラ装置。
【請求項５】
ＬＥＤ照明器を備えている、請求項４に記載のカメラ装置。
【請求項６】
前記カメラ装置は赤外線も感知し、かつ前記カメラ装置は照明レベルが不十分であるときに前記カメラが赤外線モードに切り換わるのを可能にするのに使用される光学センサを含んでいる、請求項５に記載のカメラ装置。
【請求項７】
前記カメラ装置の機能が前記ハウジング内の集積回路によって制御される、請求項１から６のいずれか１項に記載のカメラ装置。
【請求項８】
無線ＲＦ送信器モジュールと電池パックとを含む送信器セットに連結されている、請求項１から７のいずれか１項に記載のカメラ装置。
【請求項９】
前記カメラによって記録された映像データが、安全に保管された記憶媒体に送信される、請求項８に記載のカメラ装置。
【請求項１０】
前記映像信号および音声信号の送信は、集中セキュリティシステムによる事件の警告および監視を可能にすることに使用される、請求項９に記載のカメラ装置。
【請求項１１】
ある場所に関連付けられた他のセキュリティシステムと連携して用いることのできる補助セキュリティシステムを構成する、請求項１から１０のいずれか１項に記載のカメラ装置。
【発明の詳細な説明】
【技術分野】
【０００１】
本発明は、一般に、電子監視と、セキュリティを確実に維持するために雇われた人との組合せによってセキュリティが確保される場所におけるパーソナルセキュリティの分野に関し、特に、そのような監視を行うカメラ装置に関する。本発明の分野は、ナイトクラブ、および他のそのような公共の場における群集の管理に関し、本発明の用途には、とりわけ病院や刑務所のようなセキュリティーが必要とされる場所を含めることができる。
【背景技術】
【０００２】
本発明の概念は都合上多くの用途を有するが、本明細書では、娯楽施設における群集管理への本発明の適用に関して本発明を説明する。
【０００３】
あらゆる種類の娯楽施設、特にナイトクラブのような認可された場所の営業時間の自由化が数年前から進められている。さらに、際だったドラッグカルチャーの出現に伴い、このような場所は、ギャング並びに／若しくはアルコール及び／又はドラッグの影響を受けた人による暴力がはびこることで知られている。
【０００４】
監視カメラによる監視を行いつつ、群集管理を行うために私設ガードマンによってセキュリティを確保する活動が行われている。
【発明の開示】
【発明が解決しようとする課題】
【０００５】
公共の場に分散配置されている監視カメラの数は、大抵は、セキュリティを確保すべき領域に適切に対応しておらず、そのため、いわゆる「ブラックスポット」において、ドラッグの売買が行われ、かつ暴力が振るわれていることが知られている。さらに、このような環境においてガードマンの活動を監視するのは困難である。
【０００６】
このトレーニングに欠陥があることを感じている人は少なくないが、前述の不十分な監視技術の他の問題は、依然として、適切な群衆管理を維持するための努力を妨げている。特に、ドアマンが敷地内に入るすべての人の身元をたまたま知っているのでないかぎり、ドアマンが問題を起こす可能性のある人を識別するのは困難である。
【０００７】
本発明の目的は、上述した種類のセキュリティサービスを行う人がより優れた監視機器および監視技術を利用できるようにする手段を提供することである。
【課題を解決するための手段】
【０００８】
本発明は、人に装着することができ、かつハンズフリー操作を可能にするカメラ装置であって、カメラ用のハウジングと、このハウジングを人に取り付ける手段とを含み、映像信号を送信する手段と、音声信号を送受信する手段とをさらに含んでいるカメラ装置を提供する。
【０００９】
本発明の装置は、小型カラーカメラ用のハウジングと、好ましくはユーザの耳にユーザの視線と同じ高さに装着される指向性マイクロフォンとを含むことが好ましい。
【００１０】
カメラ装置は、ＬＥＤ照明器と結合され、かつ赤外線を感知し、照明レベルが不十分であるときにカメラが赤外線モードに切り換わるのを可能にする光学センサを含んでいることがさらに好ましい。
【００１１】
本発明のカメラ装置は、無線ＲＦ送信器モジュールと、好ましくは再充電可能な電池パックとを含む送信器セットに連結されていることが好ましい。この送信器セットは、人に装着できること、好ましくはベルト上のホルスターに装着できることがさらに好ましい。
【００１２】
記録された映像データが、集中セキュリティシステムによる事件の警告および監視を可能にする安全に保管された記憶媒体に送信されることがさらに好ましい。
【００１３】
したがって、本発明のカメラ装置は、ある場所に関連付けられた、人の身分証をスキャンする手段を含んでいることもある他のセキュリティシステムと連携して用いることのできる補助セキュリティシステムを構成する。
【００１４】
本発明をより容易に理解できるように、非制限的な例として、添付の図面に関して本発明の特定の実施形態について説明する。
【発明を実施するための最良の形態】
【００１５】
図１に示されている発明１０は、装着者の耳にかかるようになっている支持アーム４５上に取り付けられたイヤピース４０を有する関連付けられたオーディオ装置を備えた小型の無線ビデオカメラ３０用のハウジング２０を含んでいる。
【００１６】
図示した本発明の実施形態では、イヤピース４０は支持アーム４５の一方の端部に配置されているが、カメラハウジングはカメラ装置の好ましい位置に応じて支持アーム上の任意の位置に配置することができる。
【００１７】
本発明は、人の任意の部位に装着することができ、その人の視点で生の映像および音声による監視／通信を行うのを可能にする携帯ＣＣＴＶカメラ３０をハウジング２０内に備えたカメラ装置１０である。
【００１８】
カメラ装置は、小型で軽量であり、ハンズフリー操作を可能にしており、これにより、ユーザが、状況にその場で対処することができ、同時に、目にしたあらゆることを後で分析するかまたは見ることができるように記録しておくことができる。
【００１９】
小型のカラーカメラ３０は、耳に大抵は装着者の視線と同じ高さに装着される小型の指向性マイクロフォンを含んでいる。携帯カメラは、ＬＥＤ（発光ダイオード）照明器２１および赤外線エミッタによって、約５メートルの有効範囲を有する。
【００２０】
小型のカラーカメラ３０は、赤外線を感知し、最大の照明感度を有している。内蔵の光学センサはまた、携帯カメラが、照明条件が低下したときに白黒モードに切り換わるのを可能にする。カメラ装置の機能は、そのハウジング内部の集積回路によって制御される。
【００２１】
カメラ装置１０は、図５に示されているように無線ＲＦ送信器モジュールと再充電可能な電池パックとからなり、カメラ装置の装着者と基地局との間に双方向システムを構成することを可能にする送信器セットに、ケーブル手段１１によって接続されている。電池パックには、８時間の連続使用を可能にする高容量の再充電可能な電池を使用している。この送信器セットの構成は、装着者のベルト上にまたはハーネスとして快適に装着することのできる機器ホルスター内に収容されている。
【００２２】
無線送信は、国際標準を用いた、選択されたチャネル上で行われる。カメラ装置は、他の外部システム（たとえば、無線通信システム）および照明、強力な電磁放射、電源によるサージのような誘導または伝導された過渡事象の影響を無くすため、および／または、減らすために開発されたフィルタリングシステムを有している。
【００２３】
この双方向システムは、パーソナルコンピュータ、ラップトップコンピュータ、携帯型のディジタルビデオ記録装置、ディジタルビデオ機器、テレビジョンネットワーク、または中央監視センターを含む装置または場所に向けて、専門のガードマン２４が年中無休で監視することのできるディジタルＡＶデータを送るのを可能にする。
【００２４】
保護下にあるあらゆる敷地からの接続およびデータ送信は、固定インターネットシステムから、高速ＧＳＭ（携帯電話グローバルシステム）、ＬＡＮ（ローカルエリアネットワーク）、ＩＳＤＮ（総合ディジタル通信網サービス）、衛星、およびＡＤＳＬ（非対称ディジタル加入者線）にわたる広範囲の送信プラットフォームを使用して、リアルタイムに確保することができる。
【００２５】
このカメラ装置双方向システムを使用することによって、ガードマンは、場合によっては顔認識システムをさらに備えることのできる、完全に移動可能な独立したセキュリティポイントになる。これによって、個別にまたは２方向通信によって管理されるグループによる、より広範囲にわたる管理および状況認識が可能になる。
【００２６】
本明細書では本発明の特定の実施形態について述べ、セキュリティなどの職業に従事する人を支援するシステムにおいて本発明を使用することについて説明してきたが、本発明は多数の用途を有し、刑務官、看護士および病院の他の医療従事者、または襲撃を受けるおそれがあるか不法な活動を防止することを望む他の人によって使用することができる。おそらく、このような監視は、合法的に一般的な用途も有し、ことによると養護施設のような、ともすれば人の身元を知ることが困難な場合があるあらゆる場所を含んでいてもよい。
【００２７】
本発明のカメラ装置は、その形状および材料や、音声および映像の送信を行うのに使用される手段に関して制限がない。本発明のカメラ装置は人の任意の部位に装着することができるが、カメラは、装着者がその時点で見ているのをそれにできるだけ近い状態で記録することが好ましく、そうした場合には聴覚的な通信が最も効果的であるので、前述の耳に取付ける形態が好ましい。
【００２８】
しかしながら、カメラ装置または任意の関連する送信機器をどこにまたはどのように装着するかに関して制限はなく、一体的なユニットを構成することも考えられる。
【００２９】
したがって、本発明の概念は多数の形態および様々な用途を有することができ、本明細書では本発明の１つの特定の実施形態について説明したが、前述の特徴の変形および修正が依然として本発明の範囲内であることを理解されたい。
【図面の簡単な説明】
【００３０】
【図１】ユーザに装着されている本発明のカメラ装置の実施形態の一例を示す図である。
【図２】カメラ装置の内側を示す図である。
【図３】カメラ装置の外側を示す図である。
【図４】カメラ装置の分解図である。
【図５】セキュリティシステムにおけるカメラの使用についてのブロック図である。
【図１】
2007523545.tif 000003
【図２】
2007523545.tif 000004
【図３】
2007523545.tif 000005
【図４】
2007523545.tif 000006
【図５】
2007523545.tif 000007
【国際調査報告】
2007523545.tif 000008
2007523545.tif 000009
2007523545.tif 000010